(57)【要約】【課題】  それぞれの筐体にて生じる静電気を、一方の筐体の基板に逃がす構造とし、構造の簡略化、部品点数の削減を可能としてさらなる薄型化・軽量化の要求に対応させる。【解決手段】  互いに重ね合わされる第１の筐体と第２の筐体とを、連結部１４によって回動可能に連結する。互いに回動可能に連結された回転軸部４２と軸受部４３とによって連結部１４を構成し、回転軸部４２を第１の筐体に導通状態に固定し、軸受部４３を第２の筐体に導通状態に固定する。軸受部４３を、第２の筐体内に設けた回路基板のグランドパターンに導通させる。【選択図】      図７
2005116735.tif 000002
【特許請求の範囲】
【請求項１】
金属材料からなる連結部を介して２つの筐体を開閉可能に連結してなり、前記各筐体内にそれぞれ備える回路基板上に形成された導体層同士を前記連結部を通して電気的に接続するようにしたことを特徴とする携帯電子機器。
【請求項２】
互いに重ね合わされる２つの筐体と、これら両筐体の重ね合わせ方向に沿う軸線を中心に前記２つの筐体を相互に回動可能に連結する連結部とを有し、前記２つの筐体内にはそれぞれ回路基板を備え、当該各回路基板上に形成された導体層同士を前記連結部を通して電気的に接続するようにしたことを特徴とする携帯電子機器。
【請求項３】
前記導体層がアース導体であることを特徴とする請求項１または２のいずれかに記載の携帯電子機器。
【請求項４】
一方または双方の前記筐体表面に導体部品を備えると共に、当該導体部品と前記連結部との間に弾性を持たせて導電部材を挟持してなり、当該導電部材によって前記導体部品と前記連結部とを導通させてあることを特徴とする請求項３に記載の携帯電子機器。
【発明の詳細な説明】
【技術分野】
【０００１】
本発明は、携帯用無線電話機、PDA(Personal Digital Assistanto)等に代表される携帯電子機器に関するもので、特に相対的に回動可能な二つの筐体を有する携帯電子機器に関するものである。
【背景技術】
【０００２】
近年、携帯電話に代表される携帯電子機器は、表示される情報量の多さからディスプレイの大型化、カラー化が進み、操作性と携帯性の両面に優れた折り畳み型の携帯電話が一般的になってきた。
この折り畳み型の携帯電話は、二つの筐体を有するものが一般的であるが、これら筐体は、連結部を介して互いに相対的に移動する構造であるので、それぞれの筐体に備える回路のグランド電位を等しくするためにアース線を含むフレキシブルケーブルを介して各導体内の回路基板同士を接続して両回路のグランド電位を等しくするようになっていた。
【０００３】
このような技術として、下記の先行特許文献１が知られている。
【特許文献１】特開２０００−１３８５２２号公報
【発明の開示】
【発明が解決しようとする課題】
【０００４】
ところで、近年、携帯電話は小型化され、また複雑な形状をしたものが多くなっており、さらにカメラ機能やナビゲーション機能など様々な機能を搭載したものが多くなっている。その為、各筐体内に備える回路基板同士を接続する配線の数が増加する一方、連結部の大きさを大きくすることが難しいため、各配線を連結部内に挿通させることが難しくなりつつあった。しかも、連結部内に隙間なく配線が挿通されると、２つの筐体が相対的に移動する際に、配線に捩じれや捻れ等の負荷がかかり、酷いときは断線する恐れがあった。
【０００５】
この発明は、それぞれの筐体にて生じる静電気を、一方の筐体の基板に逃がす構造とし、構造の簡略化、部品点数の削減を可能としてさらなる薄型化・軽量化の要求に対応することができる携帯電子機器を提供することを目的としている。
【課題を解決するための手段】
【０００６】
上記目的を達成するために、本発明の携帯電子機器は、金属材料からなる連結部を介して２つの筐体を開閉可能に連結してなり、前記各筐体内にそれぞれ備える回路基板上に形成された導体層同士を前記連結部を通して電気的に接続するようにしたことを特徴とする。
【０００７】
また本発明は、互いに重ね合わされる２つの筐体と、これら両筐体の重ね合わせ方向に沿う軸線を中心に前記２つの筐体を相互に回動可能に連結する連結部とを有し、前記２つの筐体内にはそれぞれ回路基板を備え、当該各回路基板上に形成された導体層同士を前記連結部を通して電気的に接続するようにしたことを特徴とする。
【０００８】
また本発明は、前記導体層がアース導体であることを特徴とする。さらに本発明は、一方または双方の前記筐体表面に導体部品を備えると共に、当該導体部品と前記連結部との間に弾性を持たせて導電部材を挟持してなり、当該導電部材によって前記導体部品と前記連結部とを導通させてあることを特徴とする。
【発明の効果】
【０００９】
本発明の携帯電子機器によれば、筐体同士を連結する連結部によって、これらの筐体が互いに導通されるので、それぞれの筐体にて生じる静電気を、前記連結部を介して一方の筐体側へ流して処理することができる。これにより、各筐体に生じる静電気をそれぞれの筐体にて処理する構造を不要とすることができ、構造の簡略化、部品点数の削減を図ることができ、さらなる薄型化・軽量化の要求に対応することができる。
【発明を実施するための最良の形態】
【００１０】
以下、本発明を実施するための最良の形態に係る携帯電子機器の一例としての携帯電話機について図面を参照して説明する。
図１は、携帯電子機器を示す斜視図、図２は、携帯電子機器の表示側フロントケースを取り外した状態を示す分解斜視図、図３は、表示側フロントケースを裏面から視た斜視図、図４は、携帯電子機器の内部構造を示す内部部品の斜視図、図５は、携帯電子機器の内部構造を示す内部部品の分解斜視図である。
【００１１】
図に示すように、この携帯電子機器１１は、第１の筐体１２及び第２の筐体１３を有している。これら第１の筐体１２及び第２の筐体１３は、一端側近傍の連結部１４にて、前記第２の筐体１３の第１の筐体１２と対向する面に直交する回転軸Ｘを中心として面方向に相対的に回動可能に連結され、第１の筐体１２と第２の筐体１３とがお互いに重ね合わされた閉状態及び第１の筐体１２と第２の筐体１３とを相対的に回動させて伸張させた閉状態（図１における鎖線にて示す状態）の二つの形態となるいわゆる回転型のものである。
【００１２】
第１の筐体１２には、第２筐体１３と対向する面と反対側の面に、電話機の操作メニューや画面を表示するための液晶ディスプレイや有機ＥＬディスプレイ等からなる表示装置１５及びスピーカ１７を有すると共に、側面にサイドキー１６が設けられている。
一方、第２の筐体１３には、第１筐体１２と対向する面に、ダイヤル入力やメニュー操作に使用する不図示のテンキーやカーソルキー及びマイクをそれぞれ有すると共に、側面にサイドキー１８が設けられ、その他に図示しないバッテリ、ＣＰＵ、メモリ、無線部等の携帯電話を構成する要素が収容されている。
【００１３】
図６は、携帯電子機器の機能を説明するブロック図である。
図に示すように、この携帯電子機器１１は、ＣＰＵ２１を有し、このＣＰＵ２１には、表示装置１５からなる表示部２２、テンキー、カーソルキー、サイドキー１６、１８などの操作部２３、ＲＯＭやＲＡＭなどのメモリ２４及び無線部２５が接続されている。そして、ＣＰＵ２１によって、これら表示部２２、操作部２３、メモリ２４及び無線部２５による通信処理などが行われる。
【００１４】
そして、携帯電子機器１１の待ち受け時は、第１の筐体１２が第２の筐体１３に重なるように配置された閉状態にあり、この状態で携帯電子機器１１に搭載されている機能を使用する場合には、各筐体１２、１３の側面に備えるサイドキー１６、１８を操作することで選択した機能を起動させることができるようになっている。また、通話を行うためのダイヤル入力や文字入力等が必要な時には、前記サイドキー１６、１８による入力ができないため、第１筐体１２を連結部１４にて１８０度回動させてテンキーやカーソルキーを露出させる閉状態（図１中破線で示す状態）とし、テンキーやカーソルキーを操作して文字入力を行うようになっている。
【００１５】
この携帯電子機器１１は、第１の筐体１２及び第２の筐体１３がそれぞれ半割構造とされている。
つまり、第１の筐体１２は、表示側リヤケース３１と表示側フロントケース３２とを組み合わせた構造とされ、第２の筐体１３は、操作側リヤケース３３と操作側フロントケース３４とを組み合わせた構造とされている。
【００１６】
次に、これら第１の筐体１２及び第２筐体１３の内部の構造を説明する。
第１の筐体１２は、表示部２２を構成する表示装置１５を保持する導電性材料からなるホルダ３６を備えている。また、第２の筐体１３は、回路基板３７を備えている。
そして、第１の筐体１２と第２の筐体１３との間には、これら第１の筐体１２及び第２の筐体１３を回動可能に連結する連結部１４が設けられている。
【００１７】
この連結部１４は、第１の筐体１２側に設けられた回転軸部４２及び第２の筐体１３側に設けられた軸受部４３から構成されている。なお、これら回転軸部４２及び軸受部４３は、導電性を有する金属材料から形成されている。
【００１８】
図７及び図８に示すように、軸受部４３は、中心に摺動孔４４を有し、外周にフランジ４５を有している。そして、このフランジ４５が第２の筐体１３の操作側フロントケース３４にねじ４６及びナット４７によって固定されている。また、この軸受部４３のフランジ４５には、ねじ４６及びナット４７によって導通用板バネ４８が導通状態に固定されており、これら導通用板バネ４８が回路基板３７のグランドパターン（導体層）に導通接触されている。
【００１９】
回転軸部４２は、その下端に摺動ピン部５１を有し、外周にフランジ５２を有している。そして、このフランジ５２が第１の筐体１２の表示側リヤケース３１にねじ５３及びナット５４によって導通状態に固定されている。
この回転軸部４２の下端の摺動ピン部５１は、軸受部４３の摺動孔４４に摺動可能に嵌入されており、ワッシャ５５を介して端面をかしめてなるかしめ部５６により、軸受部４３と回転軸部４２とが互いに回動可能にかつ導通状態に連結されている。
【００２０】
なお、回転軸部４２は、揺動機構部６１を備えている。この揺動機構６１は、第１の筐体１２を、連結部１４における回動軸Ｘに直交する軸線Ｙを中心として所定角度揺動させるもので、両側に設けられた巻きバネ６２によって、閉状態において第１の筐体１２を第２の筐体１３側へ付勢している。
また、回転軸部４２には、金属材料から形成されたカバー板６３が導通状態に取り付けられている。このカバー板６３には、ブラケット部６４が形成されており、このブラケット部６４は、ホルダ３６及び第１の筐体１内に設けられる不図示の回路基板上のグランドパターンとそれぞれに導通状態に設けられている。
【００２１】
また、第１筐体１２の表示側フロントケース３２には、プラスチック材の表面に金属メッキを施した装飾部材（導体部品）１９を設けてあり、この装飾部材１９の一部が前記表示側フロントケース３２の外表面に露出するようになっている。そして、この装飾部材１９と連結部１４のカバー板６３との間には導電部材６６が挟持された状態で配置されるようにしてある。この導電部材６６は、スポンジや布等の外周をアルミニウム箔などの導電性を有するシートによってくるんだもので、弾性を有している。その為、表示側フロントケース３２を表示側リアケース３１に組み付ける際に、連結部１４と導電しているカバー板６３と装飾部材１９との間に前記導電部材６６を挟んだ状態で接触させることにより、装飾部材１９と連結部１４とを導電させるようになっている。
【００２２】
そして、上記構造の携帯電子機器１１では、第１の筐体１２の装飾部材１９、回路基板のグランドパターン、及びホルダ３６が、第１の筐体１２と第２の筐体１３とを回動可能に連結する連結部１４を介して第２の筐体１３の回路基板３７のグランドパターンに導通される。
【００２３】
つまり、この携帯電子機器１１によれば、第１の筐体１２と第２の筐体１３とを面に直交する回動軸Ｘを中心として回動可能に連結する連結部１４によって、第１の筐体１２に備える装飾部材１９、回路基板のグランドパターン（不図示）、ホルダ３６と、第２の筐体１３に備える回路基板３７のグランドパターンとが導通されるので、これら第１の筐体１２及び第２の筐体１３にてそれぞれ生じる静電気を連結部１４を介して第２の筐体１３内に設けた回路基板３７のグランドパターン等のアース導体に導き、携帯電子機器１１に搭載されている各種制御部品、電子部品、電気部品などに悪影響を与えることを防止することができる。
【００２４】
これにより、第１の筐体１２内に備える回路基板のグランドパターンと第２の筐体１３内に備える回路基板のグランドパターンとを接続する配線が不要となるため、連結部１４内に挿通させる配線の数を減らすことができると共に、連結部１４内を通る配線間に隙間を設けることが可能となるため、第１の筐体１２と第２の筐体１３とが相対的に移動する際に配線が捩じれたり、捩れたりすることを防ぐことができる。
【００２５】
また、弾性材を有する導電部材６６を第１の筐体１２の装飾部材１９と連結部１４に導通したカバー板６３とによって挟持することにより装飾部材１９と連結部１４とが導通されるので、単に、第１の筐体１２を構成する表示側フロントケース３２を組み付けるだけで導電部材６６によって第１の筐体１２を連結部１４に導通させることができ、アース線などを接続して第１の筐体１２と連結部１４とを導通させるような特別な構造を不要とすることができ、さらなる構造の簡略化を図ることができる。
【図面の簡単な説明】
【００２６】
【図１】本発明の最良の実施の形態に係る携帯電子機器を示す斜視図である。
【図２】携帯電子機器の表示側フロントケースを取り外した状態を示す分解斜視図である。
【図３】表示側フロントケースを裏面から視た斜視図である。
【図４】携帯電子機器の内部構造を示す内部部品の斜視図である。
【図５】携帯電子機器の内部構造を示す内部部品の分解斜視図である。
【図６】携帯電子機器の機能を説明するブロック図である。
【図７】連結部の概略構造を説明するための断面図である。
【図８】連結部の概略構造を説明するための斜視図である。
【符号の説明】
【００２７】
１１  携帯電子機器
１２  第１の筐体（筐体）
１３  第２の筐体（筐体）
１４  連結部
３７  回路基板
４２  回転軸部
４３  軸受部
６６  導電部材
Ｘ  回動軸（軸線）
【図１】
2005116735.tif 000003
【図２】
2005116735.tif 000004
【図３】
2005116735.tif 000005
【図４】
2005116735.tif 000006
【図５】
2005116735.tif 000007
【図６】
2005116735.tif 000008
【図７】
2005116735.tif 000009
【図８】
2005116735.tif 000010